(57)【要約】      （修正有）【課題】封筒のような上側から下側に向かって延びる折り返しを有するシート状物を、破損や汚れから防護しつつ、一枚ずつ取り出し可能に収納するシート状物収納用紙箱を提供する。【解決手段】折り返しＦを有する封筒Ｅを複数収納する直方体状の紙箱であって、紙箱の上側面の前面の縁から紙箱の内側に後方に向かって１８０度折り返され、紙箱の上側部の内側面に接着された重畳部と、重畳部の先端に接続され、紙箱の前面近くで下方に向かって折り曲げられ、封筒Ｅの折り返しＦの先端が紙箱の前面に露出するように形成された自由片１２４とからなる上部ストッパ１２と、紙箱の下側面の前面の縁から上方に突設され、上部ストッパ１２とともに開口部を構成する下部ストッパ２２と、紙箱の後面に設けられ、収納された封筒Ｅを前方に向かって押圧する押圧部とを含んでなる。【選択図】図１
0003166100.tif 000002
【実用新案登録請求の範囲】
【請求項１】
上側から下側に向かって延びる少なくとも１つの折り返しを有するシート状物を収納するように、シート状物の高さ及び幅と略同じ寸法の高さ及び幅を有する直方体状の紙箱であって、
紙箱の前面の上縁から紙箱の内側に後方に向かって１８０度折り返され、紙箱の上側部の内側面に接着された重畳部と、重畳部の先端に接続され、紙箱の前面近くで下方に向かって折り曲げられ、シート状物の折り返しの先端の少なくとも一部が紙箱の前面に露出するように形成された自由片とからなる上部ストッパと、
紙箱の前面の下縁から上方に突設され、上部ストッパとともに開口部を構成する下部ストッパと、
紙箱の後面に設けられ、収納されたシート状物を前方に向かって押圧する押圧部とを含むことを特徴とするシート状物収納用紙箱。
【請求項２】
全体が樹脂フィルムを表面にラミネート処理した１枚の厚紙から製造されている請求項１に記載のシート状物収納用紙箱。
【請求項３】
樹脂フィルムはポリプロピレン及びポリエチレンテレフタレートからなる群より選択される樹脂製で、且つ１０．０〜２０．０ミクロンの厚さであり、厚紙は古紙を使用しないバージンパルプ紙で、且つ０．３０〜０．８０ｍｍの厚さである請求項２に記載のシート状物収納用紙箱。
【請求項４】
押圧部は、後面の少なくとも１つの縁から突設されたフラップと、フラップの先端に接続され、フラップの先端から紙箱の内側に向かって１８０度折り返されてフラップの先端から後面の縁までの間に延びてフラップの内側面に接着された重畳部と、重畳部の先端に接続され、フラップの内側面から突出するように折り曲げられて構成された押圧片と、フラップが突設された縁に隣接する他の縁に突設され、後面を閉じることによりフラップを紙箱の内側方向に向かって押し曲げる蓋とを含む請求項１乃至３のいずれかに記載のシート状物収納用紙箱。
【請求項５】
フラップは後面の対向する２つの縁それぞれから突設されている請求項４に記載のシート状物収納用紙箱。
【考案の詳細な説明】
【技術分野】
【０００１】
本考案は、例えば封筒のような上縁から下縁に向かって延びる折り返しを有するシート状物を収納するための紙箱に関し、さらに詳しくは、収納したシート状物を１枚ずつ取り出すことができるシート状物収納用紙箱に関する。
【背景技術】
【０００２】
例えばプリペイドカードやチケットの購入窓口やその近傍には、購入したカード・チケットを入れて保管するための専用の封筒が用意されていた。封筒は、例えば側板と底板のみからなる直方体状のプラスチック製ケースに直立した姿勢で積層するように収容されており、カード・チケットの購入者はケースから封筒を必要な枚数だけ取り出して使用していた。しかし、このような上方が開放した単純なオープンケースは底に埃が溜まって封筒が汚れやすいほか、多くの封筒がきっちりとケース内に整列している状態では見栄えも良く封筒も取り出しやすいが、少量になるにつれて不揃いになり、変形や破損や汚れの生じた封筒が目立つようになり、購買者も手に取ることをためらうようになっていた。
【０００３】
実開平５−４４８８０公報には、積層された紙が残り少なくなっても取り出せるように、弾性復帰能を具備した押上げ片が紙の積層体を取り出し口に向かって押し上げる構成が示されている。実開平６−３８８２公報には、ティッシュペーパーの包装箱の底板を略コの字形の切線で区画した支持片の弾性により、収納物を取り出し口側に付勢する構成が開示されている。実開平８−９１４５５公報には、ティッシュペーパー収納箱の底部に切り起こし可能な２個の屈折片が形成されており、２個の屈折片が倒壊しないように相互に係止する構成が開示されている。
【先行技術文献】
【特許文献】
【０００４】
【特許文献１】実開平５−４４８８０公報
【特許文献２】実開平６−３８８２公報
【特許文献３】実開平８−９１４５５公報
【考案の概要】
【考案が解決しようとする課題】
【０００５】
よって本考案の目的は、封筒のような上側から下側に向かって延びる折り返しを有するシート状物を、破損や汚れから防護しつつ、一枚ずつ取り出し可能に収納するシート状物収納用紙箱を提供することにある。
本考案の他の目的は、シート状物を一枚ずつ取り出し可能にする機能を確実に且つ長い期間に亘って果たすことのできるシート状物収納用紙箱を提供することにある。
本考案の更に他の目的は、容易に構成でき、且つ確実にシート状物を一枚ずつ取り出し可能にするような押圧機能を発揮することのできる構造の押圧部を有するシート状物収納用紙箱を提供することにある。
【課題を解決するための手段】
【０００６】
上記目的を達成するために本考案は、上側から下側に向かって延びる少なくとも１つの折り返しを有するシート状物を収納するように、シート状物の高さ及び幅と略同じ寸法の高さ及び幅を有する直方体状の紙箱であって、紙箱の前面の上縁から紙箱の内側に後方に向かって１８０度折り返され、紙箱の上側部の内側面に接着された重畳部と、重畳部の先端に接続され、紙箱の前面近くで下方に向かって折り曲げられ、シート状物の折り返しの先端の少なくとも一部が紙箱の前面に露出するように形成された自由片とからなる上部ストッパと、紙箱の前面の下縁から上方に突設され、上部ストッパとともに開口部を構成する下部ストッパと、紙箱の後面に設けられ、収納されたシート状物を前方に向かって押圧する押圧部とを含んでシート状物収納用紙箱を構成した。
【０００７】
本考案に係るシート状物収納用紙箱においては、シート状物は紙箱の前面と後面との間で積層して収納される。その際、シート状物の折り返しが紙箱の前面方向に面するように収納する。なお本明細書においてシート状物の少なくとも１つの折り返しが紙箱に収納された状態でシート状物の上側から下側に向かって延びていれば足り、例えば他の折り返しは下側から上側に向かって延びていても良いものとし、また仮にシート状物自体に上下の別があったとしても、本明細書中では収納された状態の上下をいうものとする。
【０００８】
紙箱に積層して収納されるシート状物は、紙箱の前面の開口部を通じて紙箱から取り出すことができる。紙箱の前面の開口部は上部ストッパと下部ストッパとにより構成されており、シート状物の上縁は上部ストッパにより、シート状物の下縁は下部ストッパにより、それぞれ制止される。また紙箱の後面にはシート状物を前方に向かって押圧する押圧部が設けられているので、シート状物は上部ストッパ及び下部ストッパに押圧された状態で制止されている。
【０００９】
上部ストッパの自由片は、紙箱の前面の上縁から紙箱の内側に後方に向かって１８０度折り返され、紙箱の上側部の内側面に接着された重畳部の先端に接続されており、紙箱の前面近くで下方に向かって折り曲げられることによって、反発力が生じている。紙の反発力とは折られたものが戻ろうとする力であり、自由片は、その先端が紙箱の後方に向かう方向に反発力を生ずるので、収納されたシート状物を押さえつけるように制止する。
【００１０】
自由片はシート状物の折り返しの先端の少なくとも一部が紙箱の前面に露出するように形成されているので、シート状物の折り返しの先端の少なくとも一部は上部ストッパと下部ストッパとにより構成される開口部に現れることになる。よって、シート状物の折り返しを指で摘んで、自由片の後方向きの反発力に抗して、前方に引っ張ることにより、自由片が前方に傾くように姿勢を変化させ、先頭のシート状物を円滑に取り出すことができる。先頭のシート状物を一枚取り出した後は、自由片は元の姿勢に戻り、取り出されたシート状物の次に積層されていて先頭に立ったシート状物を制止する。
【００１１】
上記のようなシート状物収納用紙箱は、一連の自動紙箱製造機械により、１枚の厚紙を切断し、折り目を付け、接着剤を塗布して、組み立てることにより製造できる。その場合には、複数の厚紙や他の部品を利用するよりも少ない工程数で容易に製造可能なことは明らかである。またシート状物収納用紙箱の上部ストッパ（及び場合によっては押圧部）は紙の反発力を利用しており、且つ反復して曲げ伸ばしされるために、適度な反発力が持続する材料製であることが好ましく、従ってシート状物収納用紙箱は、全体が樹脂フィルムを表面にラミネート処理した厚紙から製造されていてもよい。
【００１２】
望ましくは樹脂フィルムはポリプロピレン及びポリエチレンテレフタレートからなる群より選択される樹脂製で、且つ１０．０〜２０．０ミクロンの厚さであり、厚紙は古紙を使用しないバージンパルプ紙で、且つ０．３０〜０．８０ｍｍの厚さである。樹脂フィルム及び厚紙が上記の数値を超える厚さだと反発力が強すぎてシート状物を取り出しにくくなり、下回ると反発力が弱すぎて所望の作用を十分に奏しにくい。ポリプロピレン及びポリエチレンテレフタレート製の樹脂フィルムは適度な反発力を厚紙に付与することができる。またバージンパルプ紙は紙繊維が長く、曲げ伸ばしを繰り返しても反発力を失いにくいので、反復使用に耐えることができる。
【００１３】
また押圧部は、後面の少なくとも１つの縁から突設されたフラップと、フラップの先端に接続され、フラップの先端から紙箱の内側に向かって１８０度折り返されてフラップの先端から後面の縁までの間に延びてフラップの内側面に接着された重畳部と、重畳部の先端に接続され、フラップの内側面から突出するように折り曲げられて構成された押圧片と、フラップが突設された縁に隣接する他の縁に突設され、後面を閉じることによりフラップを紙箱の内側方向に向かって押し曲げる蓋とを含んで構成することができ、さらにこのフラップは後面の対向する２つの縁それぞれから突設されていてもよい。
【００１４】
このような押圧部の構成においては、フラップの内側面の重畳部の先端から突出するように折り曲げられた押圧片は、フラップを蓋で紙箱の内側方向に向かって押し曲げられるにつれ、押圧片の先端が紙箱の前方に向かって移動する方向に押圧片の姿勢が変化し、押圧片の先端が収納されているシート状物に当接する。さらにフラップが押し曲げられると、押圧片が重畳部に対して折り曲げられている状態から戻ろうとする反発力が生じるので、シート状物を前方に向かって押圧する。このような押圧部は紙の反発力を利用しており、押圧片の長さやフラップから突出させる位置等を調整することにより、適度な強さの押圧力を得ることができる。
【考案の効果】
【００１５】
以上のように本考案に係るシート状物収納用紙箱によれば、封筒のような上側から下側に向かって延びる折り返しを有するシート状物を、破損や汚れから防護しつつ、一枚ずつ取り出し可能に収納することができる。
【図面の簡単な説明】
【００１６】
【図１】図１は、本考案に係るシート状物収納用紙箱の一つの実施の形態を示す斜視図であり、前面左上方から視た図である。図を簡明にして理解しやすくするために、紙の厚みは省略して示してある（図２以下も同様）。
【図２】図２は図１と同じシート状物収納用紙箱を示し、右前方から視た図である。
【図３】図３は図１と同じシート状物収納用紙箱を示し、右側面部を展開して右後方から視た図である。
【図４】図４は図１と同じシート状物収納用紙箱を示し、後面の蓋を開いて右後方から視た図である。
【図５】図５は図１と同じシート状物収納用紙箱を示し、前面の上部ストッパと下部ストッパを開いて前面左上方から視た図である。
【図６】図６は図１と同じシート状物収納用紙箱の展開図である。
【図７】図７は図１と同じシート状物収納用紙箱の作用を模式的に示す模式図である。
【図８】図８は、本考案に係るシート状物収納用紙箱の他の実施の形態を示す斜視図であり、前面の上部ストッパと下部ストッパとを開いて前方から視た図である。
【考案を実施するための形態】
【００１７】
以下、図面を参照しつつ、本考案を実施するための形態について説明する。なお、以下の説明は考案をより深く理解するためのものであって、実用新案登録請求の範囲を限定するためのものではない。
【００１８】
図１〜７はそれぞれ、本考案に係るシート状物収納用紙箱の一つの実施の形態を示す。図１によく現れているように、本実施の形態のシート状物収納用紙箱は封筒Ｅを複数収納することができる。封筒Ｅはカマス貼封筒であって、折り返しＦを有しており、幅及び天地がシート状物収納用紙箱の幅及び高さの内寸法とほぼ一致する。具体的には、封筒Ｅは磁気式プリペイドカードを１枚収納することができるように約１０５ｍｍ×７０ｍｍの天地及び幅であり、これを収納するためのシート状物収納用紙箱の幅及び高さの内寸法は１０９ｍｍ×７２ｍｍである。なお、シート状物収納用紙箱の奥行きは約５４ｍｍである。
【００１９】
シート状物収納用紙箱に収納可能なシート状物は封筒に限定されるものではなく、折り返しを有していさえすれば足りる。例えば三つ折りにした宣伝用チラシ、クーポン券、電車の時刻表等が対象となり、これらを複数収納したシート状物収納用紙箱が人の手の届く場所に置かれて、一枚ずつ取り出すことにより頒布される。
【００２０】
シート状物収納用紙箱は直方体状の紙箱であって、上側面１０、下側面２０、左側面３０及び右側面４０の４つの側面を有し、後面は蓋４２により閉じられ、前面は上部ストッパ１２の上部自由片１２４と下部ストッパ２２の下部自由片２２４との間に、そこから封筒Ｅを取り出すことのできる開口部が構成されている。また後面側には外側押圧片１４及び内側押圧片２４が封筒Ｅを前方に向かう方向に押圧する押圧部が形成されている。
【００２１】
図６に表されているように、紙箱は下側面２０から突設されたのりしろ２６と右側面４０とを貼合することにより箱形に組み立てられる。なお図６において、実線は切断加工、破線は罫線加工（スジ押し）、一点鎖線は半切れ加工をそれぞれ表す。
【００２２】
上側面１０の前面の上縁には上部ストッパ１２が備えられている。上部ストッパ１２は、上側面１０の前面の上縁に半切れ加工で接続された重畳部１２２と、重畳部１２２の先端に、中央の一部が切断加工され、その左右が罫線加工されて接続された自由片１２４とからなる。重畳部１２２は半切れ加工で上側面１０に接続されているので、内側に後方に向かって１８０度折り返すと、上側面１０の内側面に密着させることができ、その間に接着剤を塗布しておけば隙間が生ずることなく接着することができるようになっている。重畳部１２２の先端に接続された自由片１２４は、紙箱の前面近くで下方に向かって折り曲げられており、図１に示すように、封筒Ｅの折り返しＦの先端が紙箱の前面に露出するような長さ及び形状を有する。
【００２３】
下部ストッパ２２は、下側面２０の前面の下縁から上方に突設されて、上部ストッパ１２とともに開口部を構成する。下部ストッパ２２は下側面２０の前面の下縁から突出した制止片２２２と、制止片２２２の左右両側から突出した突起２２４と、制止片２２２の先端に接続された補強片２２６とからなる。制止片２２２は下側面２０に対して９０度上方に折られ、左右の突起２２４がそれぞれ左側面３０及び右側面４０に設けられた差込穴３４、４４にそれぞれ差し込まれることにより９０度曲げられた姿勢が保持される。補強片２２６は制止片２２２に対し内側に１８０度折り返して重ね合わされ、接着剤にて貼合される。密着して貼合するために、制止片２２２及び補強片２２６の左右の接続部は半切れ加工されており、中央部は略楕円形状の穴が開けられている。
【００２４】
図１に表されているように、制止片２２２の左右の左右の先端部分は、シート状物収納用紙箱に収納された封筒Ｅの折り返しＦの先端よりもやや下方に位置しているので、封筒Ｅの本体が前方に移動するのを制止するが、折り返しＦまで制止することはない。かつ、制止片２２２と補強片２２６との間に穴が開けられているため、中央部分では折り返しＦの先端よりもかなり下方に制止片２２２が位置することになり、従ってシート状物収納用紙箱の前面から指を差し込んで、封筒Ｅの本体を軽く押し込むだけで、封筒Ｅの折り返し片Ｆを容易に摘むことができる。
【００２５】
シート状物収納用紙箱に複数収納された封筒Ｅは、シート状物収納用紙箱の後面寄りに設けられた押圧部により前方に向かう方向に押圧される。押圧部は、外側押圧部１４と内側押圧部２４と蓋４２とにより押圧作用を奏するように構成されている。
【００２６】
外側押圧部１４は、上側面１０の後面の縁から突設された上側面１０とほぼ同じ幅のフラップ１４２と、フラップ１４２の先端に接続され、フラップ１４２の先端から紙箱の内側に向かって１８０度折り返されてフラップ１４２の先端から後面の縁までの間に延びてフラップ１４２の内側面に接着されたフラップ１４２とほぼ同じ幅でやや長さが短い重畳部１４４と、重畳部１４４の先端に接続され、フラップ１４２の内側面から突出するように折り曲げられて構成された重畳部１４４と同じ幅の外側押圧片１４６とからなる。外側押圧片１４６の先端は中央が凹んだ形状である。
【００２７】
内側押圧部２４は、下側面２０の後面の縁からリード罫で接続されて突設され、下側面２０の後面の縁近くでは下側面２０とほぼ同じ幅を有し、先端までの長さのほぼ中間付近で凸状になるように幅が小さくなるフラップ２４２と、フラップ２４２の先端に接続され、フラップ２４２の先端から紙箱の内側に向かって１８０度折り返されてフラップ２４２の先端から後面の縁までの間に延びてフラップ２４２の内側面に接着されたフラップ２４２の先端と同じ幅でやや長さが短い重畳部２４４と、重畳部２４４の先端に接続され、フラップ２４２の内側面から突出するように折り曲げられて構成された重畳部２４４と同じ幅の内側押圧片２４６とからなる。
【００２８】
図３〜５によく示されているように、内側押圧片２４６の幅は、外側押圧片１４６の凹みの幅よりもやや寸法が小さいので、内側押圧片２４６は外側押圧片１４６の凹みに嵌り込んで組み合わされるようになっている。またフラップ１４２とフラップ２４２の長さは同一であり、重畳部１４４と重畳部２４４の長さも同一であるが、外側押圧片１４６よりも内側押圧片２４６の方が長さが少し長く構成されている。
【００２９】
蓋４２は右側面４０の後面の縁に突設され、先端には差込４６が設けられており、蓋４２と差込４６との接続部には爪掛け４８とダブルロック差込穴４９が形成されている。左側面３０にはダブルロック差込穴４９に対応する位置にダブルロック差込３２が配置されている。差込４６をフラップ１４２、２４２の蓋４２を閉じてからダブルロック差込３２をダブルロック差込穴４９に差し込むことにより、堅固に蓋４２を閉じておくことができる。爪掛け４８はダブルロック差込３２をダブルロック差込穴４９から解放する際に使用する。
【００３０】
本実施の形態のシート状物収納用紙箱は１枚の厚紙から製造されている。本実施の形態においては、バージンパルプを使用した厚さ０．４９５ｍｍ（４５０ｇ／ｍ２）の特殊白板紙の表面に２０ミクロンのＰＥＴフィルムをコーティングしたラミネート紙が使用されている。バージンパルプ紙は紙繊維が長く、曲げ伸ばしを繰り返しても反発力を失いにくいので、本実施の形態のような反発力の反復使用に長期間耐えることができる。またＰＥＴフィルムを表面にラミネート処理することにより、反発力が補強される。
【００３１】
本実施の形態のシート状物収納用紙箱は、上記のようなバージンパルプ紙の表面に適当な印刷を施し、その上にＰＥＴフィルムをコーティングし、図６のように打ち抜き、罫線加工や半切れ加工を施し、罫線や半切れを折り、接着剤を塗布して圧着することにより組み立てて完成させる。蓋４２にはゴム板磁石を接着して、例えば自動販売機の側面のような鉄板製の垂直な壁面にシート状物収納用紙箱を固定できるようにしてもよい。
【００３２】
次に、本実施の形態の作用について、図７を参照しつつ説明する。図７（ａ）〜（ｃ）はそれぞれ、図１〜６に示したシート状物収納用紙箱の作用を右側面方向から模式的に示す模式図であって、図７（ａ）は封筒Ｅが多数収納されている状態、図７（ｂ）は封筒Ｅを取り出している状態、図７（ｃ）は少数の封筒Ｅが収納されている状態をそれぞれ示す。
【００３３】
各図において、複数の封筒Ｅは紙箱の前面と後面との間で積層して収納されている。各封筒Ｅの折り返しＦは紙箱の前面方向に面しており、封筒Ｅは紙箱の前面の開口部を通じて順に一枚ずつ取り出すことができる。紙箱の前面の開口部は上部ストッパ１２と下部ストッパ２２とにより画定されており、封筒Ｅの上縁は上部ストッパ１２により、封筒Ｅの下縁は下部ストッパ２２により、それぞれ制止されている。また紙箱の後面には封筒Ｅを前方に向かって押圧する押圧部が設けられているので、封筒Ｅは上部ストッパ１２及び下部ストッパ２２に押圧された状態で制止されている。
【００３４】
上部ストッパ１２の自由片１２４は、紙箱の前面の上縁から紙箱の内側に後方に向かって１８０度折り返され、紙箱の上側部の内側面に接着された重畳部１２２の先端に接続されており、紙箱の前面近くで下方に向かって折り曲げられることによって、反発力が生じている。紙の反発力とは折られたものが戻ろうとする力であり、自由片１２４は、その先端が紙箱の後方に向かう方向に反発力を生ずるので、収納された封筒Ｅを押さえつけるように制止する。
【００３５】
図７（ａ）に示すように、自由片１２４は封筒Ｅの折り返しＦの先端が紙箱の前面に露出するような長さ及び形状に形成されているので、封筒Ｅの折り返しＦの先端は上部ストッパ１２と下部ストッパ２２とにより構成される開口部に現れている。よって、図７（ｂ）に示すように、封筒Ｅの折り返しＦを指で摘んで、自由片１２４の後方向きの反発力に抗して、前方に引っ張ることにより、自由片１２４が前方に傾くように姿勢を変化させ、封筒Ｅを円滑に取り出すことができる。先頭の封筒Ｅを一枚取り出した後は、自由片１２４は元の姿勢に戻り、取り出された封筒Ｅの次に積層されていて先頭に立った封筒Ｅを制止する。
【００３６】
外側押圧部１４の外側押圧片１４６の先端、及び内側押圧部２４の内側押圧片２４６の先端は、積層されたうちの最後方の封筒Ｅに当接して、封筒Ｅを前方に向かう方向に押圧する。上述のように各押圧片１４６、２４６はそれぞれ重畳部１４４、２４４に対して折り曲げられていることにより生ずる反発力により封筒Ｅを押圧する。また各重畳部１４４、２４４はそれぞれフラップ１４２、２４２に接着されているので、蓋４２がダブルロックを利用して堅固に閉じられることによる各フラップ１４２、２４２を押し込む力により、各重畳部１４４、２４４と各押圧部１４６、２４６との成す角度はより鋭角になるように調整され、これによって十分な押圧力が確保されるようになっている。各押圧部１４６、２４６の先端は、図７（ｃ）に示すように、収納されている封筒Ｅの数が少なくなっても、これに追従して前方に移動するように、各押圧部１４６、２４６の姿勢が変化する。
【００３７】
図８は本考案に係るシート状物収納用紙箱の他の実施の形態を示し、図１〜７に示した実施の形態においては押圧部の形状が異なるがその他の構成は同一である。よって以下、押圧部についてのみ説明する。
【００３８】
図８の実施の形態に係るシート状物収納用紙箱は、２枚の左右に並んだ押圧片５４６、６４６を有する。押圧片５４６、６４６は、左右の側面３０、４０の後面の縁から突出したフラップ５４２、６４２の先端を折り返して接着した重畳部（図に表れていない）の先端を前方に延びるように折り曲げてなり、基本的な構成は図１〜７の実施の形態と同様であり、反発力を利用して収納されている封筒を前方に押圧するという作用も同様である。上側面１０の後面の縁に接続された蓋７２を閉じることにより、フラップ５４２、６４２をそれぞれの左右の側面３０、４０に対して直角な角度を保持し、これにより押圧片５４６、６４６の反発力を支持して安定した押圧力を生じさせることができるようになっている。
【００３９】
以上のように本考案に係るシート状物収納用紙箱によれば、封筒のような上側から下側に向かって延びる折り返しを有するシート状物を、破損や汚れから防護しつつ、一枚ずつ取り出し可能に収納することができる。
【００４０】
以上、本考案の実施の形態について説明したが、本考案は上記実施の形態に限定されるものではなく、本考案の要旨の範囲内において、適宜変形実施が可能であることは言うまでもない。
【符号の説明】
【００４１】
１０  上側面
１２  上部ストッパ
１２４  自由片
２２  下部ストッパ
３０  左側面
【図１】
0003166100.tif 000003
【図２】
0003166100.tif 000004
【図３】
0003166100.tif 000005
【図４】
0003166100.tif 000006
【図５】
0003166100.tif 000007
【図６】
0003166100.tif 000008
【図７】
0003166100.tif 000009
【図８】
0003166100.tif 000010